(57)【要約】【課題】計画的な停電や、電力抑制を実施する時間帯においては、予告されているとはいえ突発的に電力供給が停止される可能性がある。画像形成装置を突然電源ＯＦＦ（電源スイッチではなく、電力供給が途絶える）にした場合、その復旧作業に多大な時間を要することとなる。また他のケースでは復旧そのものが出来ず、通常通電が可能なった場合でも復旧できなくなる可能性がある。【解決手段】計画的な停電や、電力抑制を実施する時間帯までの残り時間に応じて、画像形成装置の縮退動作、上限値の抑制（コピー枚数や部数制限）、動作モード限定（スキャンして送信のみ可能）などを段階的に行う（縮退準備モード）。あわせて、前述の時間帯においては、いつでも画像鵜形成装置の電力抑制（電源断含む）が行われても問題無いように、対停電モードを設け、さらなる機能制約を行って、動作を継続する。【選択図】  図６
2015146062.tif 000002
【特許請求の範囲】
【請求項１】
分割された機能ブロック毎に給電制御が可能な画像形成装置（１０４）であって、画像形成装置（１０４）装置の機能ブロック毎の電源供給を制限、もしくは停止する時間帯をあらかじめ設定する設定手段と、前記、設定手段で設定された時間帯に達するまでの残り時間と電力供給の上限に対して、画像形成装置（１０４）の動作モードを制限する、動作モード制限手段と、画像形成装置（１０４）の処理モードに応じて、複数の動作モード制限の候補の中から制限内容を選択する選択手段と、選択された動作モード制限手段によって制限される機能ブロック毎の電源供給を停止する、電源供給の制御手段を有し、
段階的に動作モードに制限を加え機能縮退し、電源供給の停止に備えることを特徴とする画像形成装置（１０４）。
【請求項２】
前記選択手段において、制限された動作モードや設定状態（制限時の画像形成装置（１０４）の能力情報含む）を、画像処理装置の操作部（１０５）、ネットワーク上のホストＰＣ（１０３）に通知する通知手段を有することを特徴とする請求項１に記載の画像形成装置。
【請求項３】
前記動作モード制限手段において、画像形成装置（１０４）の通常動作モードに加え、機能制限中の縮退モード（５１０）と、計画的な停電の予定時間帯に対して、対停電モード（５１２）の、別な動作モードを有することを特徴とする請求項１に記載の画像形成装置。
【請求項４】
前記機能ブロック毎の電源供給を制限、もしくは停止する時間帯をあらかじめ設定する設定手段に加え、曜日ごと、もしくは一定時間、画像形成装置（１０４）が動作していない場合においても、段階的に動作モードに制限を加え機能縮退を行う事を特徴とする請求項１に記載の画像形成装置。
【発明の詳細な説明】
【技術分野】
【０００１】
本発明は、本発明は電子写真方式により形成されたトナー画像を転写紙上に熱で定着する画像形成装置において、計画的な停電もしくは消費電力の抑制が必要な時間帯を考慮して、画像形成装置が消費する最大消費電力を低減するための制御に関する。
【背景技術】
【０００２】
近年、環境・エネルギーへの意識の高まりにより、市場では低消費電力の機器が求められている。
【０００３】
さらに、電力の供給が逼迫するといった不測の事態に備えるためや、あるいは、供給時間帯別の電力料金の増減から、ある一定の許容範囲内の電力で動作するために、機器の最大消費電力にも目を向ける必要がある。
【０００４】
オフィスに設置されるプリンタや複合機等の機器は、電子機器の中でも電力の使用量が大きい方に分類されるものである。
【０００５】
とりわけ電子写真方式のプリンタや複合器では、トナー画像を用紙上に熱で定着する必要があるため、印刷時の消費電力が最も大きくなる。
【０００６】
つまり、前述のように電力の供給が逼迫するといった不測の事態や、ある一定の許容範囲内の電力で動作することに対して、電子写真方式のプリンタや複合器の動作時の最大消費電力が電力供給の許容量を越える恐れがある。
【０００７】
従って、プリンタや複合器の動作における最大消費電力に対する省電力化が必要である。従来から、プリンタや複合機の機能を一部制限することによって消費電力を抑える動作モードを実現する省電力制御の技術がある。
【０００８】
特許文献１では、分割された機能ブロック毎に給電制御を行い、所定の省電力モード移行条件の成立時、通常給電を停止または制限し、省電力モード復帰条件の成立時、必要な機能ブロックにのみ通常給電を再開することを特徴としている。
【先行技術文献】
【特許文献】
【０００９】
【特許文献１】特開２００７−１８０９８９号公報
【発明の概要】
【発明が解決しようとする課題】
【００１０】
しかしながら、特許文献１で開示された技術は、省電力モード移行条件の成立をきっかけとした省電力化のための施策であり、計画的な停電が予定されている時間帯においては、予告されているとはいえ突発的に電力供給が停止される可能性がある。
【００１１】
例えば印刷動作の処理中に突発的に電源ＯＦＦが発生することは問題である。
【００１２】
また、突発の電力抑制の指示が、電力管理する別装置から画像形成装置に対して発せられるケースも存在する。
【００１３】
画像形成装置を突然電源ＯＦＦ（電源スイッチではなく、電力供給が途絶える）にした場合、その復旧作業（用紙のＪＡＭ処理や、画像形成装置のコントローラ部の一部であるＨＤＤテンポラリ領域のデータ破壊）に多大な時間を要することとなる。
【００１４】
他のケースでは復旧そのものが出来ず、通常通電が可能なった場合でも復旧できなくなる可能性がある。
【課題を解決するための手段】
【００１５】
本発明の構成は、
分割された機能ブロック毎に給電制御が可能な画像形成装置（１０４）であって、画像形成装置（１０４）装置の機能ブロック毎の電源供給を制限、もしくは停止する時間帯をあらかじめ設定する設定手段と、前記、設定手段で設定された時間帯に達するまでの残り時間と電力供給の上限に対して、画像形成装置（１０４）の動作モードを制限する、動作モード制限手段と、画像形成装置（１０４）の処理モードに応じて、複数の動作モード制限の候補の中から制限内容を選択する選択手段と、選択された動作モード制限手段によって制限される機能ブロック毎の電源供給を停止する、電源供給の制御手段を有し、
段階的に動作モードに制限を加え機能縮退し、電源供給の停止に備えることを特徴とする画像形成装置（１０４）である。
【発明の効果】
【００１６】
本発明によれば、計画的な停電もしくは電力抑制の時間帯までに画像形成装置の能力を段階的に制限する。
【００１７】
その結果、前述の時間帯において、突発の電力供給の停止もしくは抑制の指示に対して、いつでも画像形成装置の電力抑制（電源断含む）が行われても問題が発生しないようにすることが可能となる。
【図面の簡単な説明】
【００１８】
【図１】本発明における画像形成装置と周辺システムの概略図。
【図２】本発明における代表的な画像形成装置の電力消費の遷移を示す概略図。
【図３】本発明における画像形成装置のメインコントローラの構成図。
【図４】本発明における画像形成装置の内部構成図。
【図５】実施例１における電力制御の概略図。
【図６】実施例１における画像形成装置のフロー図（１）。
【図７】実施例１における画像形成装置のフロー図（２）。
【図８】実施例１における画像形成装置のフロー図（３）。
【図９】実施例１における画像形成装置の操作部の表示例。
【図１０】実施例２における画像形成装置の操作部の表示例。
【図１１】実施例２における画像形成装置のフロー図。
【図１２】実施例２における画像形成装置の機能と消費電力例。
【発明を実施するための形態】
【００１９】
以下、本発明を実施するための最良の形態について図面を用いて説明する。
【００２０】
［第１の実施例］
＜システム構成の説明＞
図１および図２は本発明の第１の実施形態を示す画像形成装置と周辺システムの構成の一例を示す図である。
【００２１】
電力管理サーバ１０２は、いわゆるＣＰＵ、ＲＡＭ、ＲＯＭ等を含むコントローラと、表示装置、入力デバイス、記憶装置等を備える。
【００２２】
また、電力管理サーバ１０２は所定のＯＳの下で、所定のアプリケーションを起動して、種々のデータ処理を行える。
【００２３】
さらに、電力管理サーバ１０２は、前述のデータ処理によって作成されたデータを後述する画像形成装置に出力するためのドライバ、およびスキャナを起動するドライバ等があらかじめ外部記憶装置にインストールされているものとする。電力管理サーバ１０２での処理システムは所定のアプリケーションの一つとして処理を行う。
【００２４】
また、電力管理サーバ１０２は、ネットワーク上の機器と所定のプロトコル（例えばＴＣＰ／ＩＰ、ＵＤＰ／ＩＰ、ＩＰＸ等）で通信するための通信モジュールも備えている。
【００２５】
同様にＰＣ１０３においても基本的なハードウェア構成やソフトウェア構成は、電力管理サーバ１０２と同等の構成要素から成り立っている。
【００２６】
図１において、１０４は画像形成装置を示しておりメインコントローラ部１０６、ユーザインタフェースである操作部１０５、画像入力デバイスであるスキャン部１０７、および画像出力デバイスであるプリンタ部１０８を備えている。
【００２７】
さらに画像形成装置１０４のメインコントローラ部１０６は、通信機能ＬＡＮ（Ｌｏｃａｌ  Ａｒｅａ  Ｎｅｔｗｏｒｋ）１０１を備えて、ホストＰＣ１０３と各種の画像入出力の処理を行う。
【００２８】
電力管理サーバ１０２と画像形成装置１０４とはＬＡＮ（Ｌｏｃａｌ  Ａｒｅａ  Ｎｅｔｗｏｒｋ）１０１に接続され、所定のプロトコルを用いて通信を行う。
【００２９】
図２は画像形成装置１０４の代表的な電力消費の遷移を示している。
【００３０】
縦軸は消費電力２０１を示しており単位はｗ（ワット）であり、横軸は時間２０２を示しており単位はｔ（秒などの時間の単位）である。
【００３１】
２０３においてユーザから主電源スイッチの操作を受けた後述の電源制御部３１８は画像形成装置１０４に通電を開始する。主電源ＯＮ時の消費電力を２０４で示している。後述の定着器４３０には定着ヒーターが内包されており、定着可能な温度まで短時間で到達するために、主電源ＯＮ時には最大限の過熱を行う。
【００３２】
また同時に画像形成装置１０４を構成する各種処理機構の初期化処理が行われる。
【００３３】
その後、画像形成装置１０４はスタンバイ状態に遷移し、２０５で示したような電力消費の状態となる。
【００３４】
その後、ユーザからコピーボタンの選択を受け付けた操作部１０５は、その受け付けた旨を制御部２メインコントローラ１０６に送信する。その旨を受け付けたメインコントローラ１０６は、スキャナ１０７とプリンタ１０８を制御しコピー動作を行う。
【００３５】
コピー動作中はスキャナ４０７とプリンタ１０８とが同時に動作を行うため、２０６で示した電力消費の状態となる。
【００３６】
その後、ユーザから送信ボタンの選択を受け付けた操作部１０５がスキャナ２０７を制御してスキャン操作を行っている場合の消費電力状態を２０７で示している。
【００３７】
また、ＰＣ１０３からの印刷データの受信を受け付けたメインコントローラ１０６が印字出力を行う場合の消費電力状態を２０８で示している。
【００３８】
画像形成装置１０４に対して処理動作の受付が無い場合には、２０９で示したスタンバイ状態の電力消費の状態となり、さらに、あらかじめユーザが操作部１０５によって設定した時間分、処理の受付が無い場合には、さらに省電力となるスリープ状態に移行する。      
【００３９】
２１０はスリープ状態での電力消費の状態を示している。さらにあらかじめユーザが操作部１０５によって設定した時間分、スリープ状態が維持されると、画像形成装置１０４の電源ＯＦＦの処理が開始される（２１１）。
【００４０】
電源ＯＦＦの処理が開始されると、定着器４３０のクールダウン、及び、各種のシャットダウンの処理が行われる。シャットダウン処理中はクールダウンのために、画像姿勢装置１０４の不図示の冷却ファンを駆動させるなど、一定の電力を消費するため、スリープ状態での電力消費の状態２１０と比較して、２１２で示した電力消費の状態となる。画像形成装置１０４のシャットダウン処理、及びクールダウンの処理が完了すると、２１３でメインコントローラ１０６が電源制御部３１８に指示を行い、主電源がＯＦＦされる。
【００４１】
＜画像形成装置・コントローラ部＞
次に、本実施形態で言及している画像形成装置１０４のメインコントローラ部の構成を説明する。  画像形成装置全体を制御するメインコントローラ１０６は、スキャナ１０７やプリンタ１０８の制御を行う一方で、ＬＡＮ１０１や公衆回線網と接続される。そして、ＬＡＮ１０１や公衆回線網を介して、外部機器との間で画像情報や画像形成装置の状態や情報、およびファイル等の入出力を行う。
【００４２】
メインコントローラ１０６は、主制御部であるＣＰＵ（Ｃｅｎｔｒａｌ  Ｐｒｏｃｅｓｓｉｎｇ  Ｕｎｉｔ）３０１を備える。ＣＰＵ３０１は、システムバス３０７を介して、ＲＡＭ（Ｒａｎｄｏｍ  Ａｃｃｅｓｓ  Ｍｅｍｏｒｙ）３０２、ＲＯＭ（Ｒｅａｄ  Ｏｎｌｙ  Ｍｅｍｏｒｙ）３０３、Ｆｌａｓｈ３０４と接続される。  さらにＣＰＵ３０１は、イメージバスＩ／Ｆ３０５、操作部Ｉ／Ｆ３０６、ＬＡＮ  Ｉ／Ｆ３０８およびモデム部３０９と接続される。
【００４３】
ＲＡＭ３０２は、ＣＰＵ３０１の作業領域を提供するための随時読み書き可能なメモリである。ＲＡＭ３０２は、画像データを一時記憶するための画像メモリとしても使用される。ＲＯＭ３０３は、ブートＲＯＭであり、システムのブートプログラムが格納される。Ｆｌａｓｈ３０４は不揮発性メモリであり、画像形成装置１０４の電源遮断後にも保持が必要なシステムソフトウェアや設定値データ等が格納される。
【００４４】
操作部Ｉ／Ｆ３０６は、操作部１０５との間で入出力を行うためのインタフェースである。操作部Ｉ／Ｆ３０６は、操作部１０５に対して表示すべき描画データを出力し、また、ユーザが操作部１０５を介して入力した情報を、ＣＰＵ３０１に伝送するために使用される。ＬＡＮ  Ｉ／Ｆ３０８は、ＬＡＮ１０１と接続するためのインタフェースであり、ＬＡＮ１０１に対して情報の入出力を行う。  モデム部３０９は、公衆回線網と接続するためのインタフェースであり、公衆回線網に対して情報の入出力を行う。イメージバスＩ／Ｆ３０５は、システムバス３０７と画像データを高速で転送する画像バス３１０とを接続するインタフェースであり、データ構造を変換するバスブリッジとして動作する。
【００４５】
画像バス３１０には、ＲＩＰ（Ｒａｓｔｅｒ  Ｉｍａｇｅ  Ｐｒｏｃｅｓｓｏｒ）３１１、デバイスＩ／Ｆ３１２、スキャナ画像処部３１３、プリンタ画像処理部３１４、画像回転部３１５および画像圧縮部３１６が接続される。  ＲＩＰ３１１は、ＬＡＮ１０１から受信したＰＤＬ（Ｐａｇｅ  Ｄｅｓｃｒｉｐｔｉｏｎ  Ｌａｎｇｕａｇｅ）データをビットマップイメージに展開する。
【００４６】
デバイスＩ／Ｆ３１２は、スキャナ１０７およびプリンタ１０８とメインコントローラ１０６とを接続するインタフェースであり、画像データの同期系／非同期系の変換を行う。スキャナ画像処理部３１３は、スキャナ１０７から読み込んだ入力画像データに対して、補正、加工、編集等の処理を行う。プリンタ画像処理部３１４は、プリンタ１０８へ出力するプリント出力画像データに対して、色変換、フィルタ処理、解像度変換等の処理を行う。  画像回転部３１５は、画像データの回転を行う。画像圧縮部３１６は、多値画像データに対してはＪＰＥＧ圧縮伸長処理を行い、２値画像データに対してはＪＢＩＧ、ＭＭＲ、ＭＨ等の圧縮伸長処理を行う。
【００４７】
ＨＤＤ（Ｈａｒｄ  Ｄｉｓｋ  Ｄｒｉｖｅ）３１７は、不揮発なデータ記憶装置であり、画像データ、アドレス帳データ、ジョブログおよびユーザの個別データ等の各種データが保持される。なお、メインコントローラ１０６が、ＨＤＤ３１７を接続しない構成をとる場合は、前述の各種データはＦｌａｓｈ３０４に保持されるものとする。
【００４８】
電源制御部３１８は、電力供給手段である電源装置３１９から電力供給ライン３２０を介して受電したＤＣ電源を、電力供給ライン３２１、３２２を介してメインコントローラ１０６の所定の回路要素に供給する。電源制御部３１８は、ＬＡＮ  Ｉ／Ｆ３０８から制御信号線３２３を介して受信した制御信号およびＣＰＵ３０１から制御信号線３２４を介して受信した制御信号に基づいて電力供給ライン３２１、３２２の電力供給制御を行う。
【００４９】
電力供給ライン３２１は、ＣＰＵ３０１、ＲＯＭ３０３、Ｆｌａｓｈ３０４、イメージバスＩ／Ｆ３０５およびＨＤＤ３１７に接続される。さらに、電力供給ライン３２１は、ＲＩＰ３１１、デバイスＩ／Ｆ３１２、スキャナ画像処理部３１３、プリンタ画像処理部３１４、画像回転部３１５および画像圧縮部３１６に接続される。電力供給ライン３２２は、ＲＡＭ３０２、操作部Ｉ／Ｆ３０６、ＬＡＮ  Ｉ／Ｆ３０８およびモデム部３０９に接続される。
【００５０】
＜画像形成装置・内部構成＞
図４は本発明の画像形成装置１０４の内部構成を示す図である。メインコントローラ１０６は、不図示のホストＰＣや操作部１０５でユーザから受け付けた指示に基づき、スキャナ１０７とプリンタ１０８を制御して原稿の読み取りや用紙への印刷を行う。図面を用いてスキャナ１０７によるスキャン処理とプリンタ１０８によるプリント処理の動作概略を順にそれぞれ説明する。
【００５１】
まずスキャン処理では、原稿自動送り装置４３４は、ユーザにより載置された原稿を原稿台ガラス４０１に順次搬送する。原稿照明ランプ４０２は例えばハロゲンランプから構成される原稿を照明するためのランプであり、原稿台ガラス４０１に載置された原稿を露光する。走査ミラー４０３、４０４、４０５は、不図示の光学走査ユニットに収容され、原稿からの反射光をＣＣＤユニット４０６に導く。ＣＣＤユニット４０６は、例えばＣＣＤ（Ｃｈａｒｇｅ  Ｃｏｕｐｌｅｄ  Ｄｅｖｉｃｅ）撮像素子４０８に原稿からの反射光を結像させる結像レンズ４０７、ＣＣＤ撮像素子４０８を駆動するＣＣＤドライバ４０９等から構成される。原稿の読み取りは、ＣＣＤ撮像素子４０８からの画像信号出力が、例えば８ビットのデジタルデータに変換された後、メインコントローラ１０６に画像データとして入力されることによって行われる。
【００５２】
次にプリント処理では、感光ドラム４１０が、前露光ランプ４１２によって画像形成に備えて除電される。１次帯電器４１３は、感光ドラム４１０を一様に帯電させる。露光手段４１７は、例えば半導体レーザー等で構成され、メインコントローラ１０６で処理された画像データに基づいて感光ドラム４１０を露光し、静電潜像を形成する。現像器４１８には、現像剤のトナーが収容されている。  転写前帯電器４１９は、感光ドラム４１０上に現像されたトナー像を用紙に転写する前に高圧をかける。給紙ユニット４３５、４２２、４２４、４２６、４２８（４３５は手差し給紙ユニット）は、用紙の給紙を行うユニットであり、各給紙ローラ４３６、４２３、４２５、４２７、４２９の駆動によって、装置内に用紙を搬送する。
【００５３】
給紙ユニット４３５、４２２、４２４、４２６、４２８から搬送された用紙は、レジストローラ４３９の配設位置で一旦停止し、感光ドラム４１０に形成された画像との書き出しタイミングを計って再搬送される。転写帯電器４４０は、感光ドラム４１０に現像されたトナー像を搬送される用紙に転写する。分離帯電器４２０は、転写動作の終了した用紙を感光ドラム４１０より分離する。転写されずに感光ドラム４１０上に残ったトナーはクリーナー４１１によって回収される。搬送ベルト４２１は、転写プロセスの終了した用紙を定着器４３０に搬送する。
【００５４】
定着器４３０は不図示のヒーターによって加熱され、熱によって用紙にトナーを定着する。フラッパ４３１は、定着プロセスの終了した用紙の搬送パスを、排紙トレイ４３２または中間トレイ４３７の配置方向のいずれかに制御する。搬送ローラ４３３、４１４、４１５、４１６は、定着プロセスの一度終了した用紙を中間トレイ４３７に反転（多重）または非反転（両面）して搬送する。再搬送ローラ４３８は、中間トレイ４３７に載置された用紙を、レジストローラ４３９の配設位置まで再度搬送する。また、用紙への印刷は、前述の画像形成により排紙トレイ４３２上に印刷された用紙が排出されることによって完了する。
【００５５】
＜画像形成装置・電力動作モード＞
画像形成装置１０４は、装置の稼動状態に応じて電力状態の異なる通常電力モードと省電力モードに大別される２つの電力モードを備える。通常電力モードおよび省電力モードの両方において、電源装置３１９は、電力供給ライン３２０を介して電源制御部３１８に電力供給する。通常電力モードでは、ＣＰＵ３０１は電力供給ライン３２１および電力供給ライン３２２に対する電力供給が有効となるように電源制御部３１８を制御する。これにより、通常電力モードでは、ＣＰＵ３０１とＬＡＮ  Ｉ／Ｆ３０８の双方に電源装置３１９から電力が供給される。
【００５６】
一方、省電力モードでは、ＣＰＵ３０１は、電力供給ライン３２１の電力供給が無効となるように、電力供給ライン３２２の電力供給が有効となるように電源制御部３１８を制御する。このとき、メインコントローラ１０６が備えるＣＰＵ３０１を含む主要回路要素に対する電力供給は遮断される。
【００５７】
その結果、省電力モードでは、通常電力モードと比較して画像形成装置１０４の消費電力を大幅に低減することができる。そして、ＬＡＮ  Ｉ／Ｆ３０８がＬＡＮ１０１上の不図示のホストＰＣから印刷ジョブ等のデータを受信した場合には、ＬＡＮ  Ｉ／Ｆ３０８が電源制御部３１８を制御して、省電力モードから通常電力モードに復帰する。省電力モードでは、電源装置３１９はＲＡＭ３０２に対して電力を供給するため、ＲＡＭ３０２はセルフリフレッシュ動作によりシステムプログラムをバックアップしつつ低消費電力の状態となる。
【００５８】
また、ＬＡＮ  Ｉ／Ｆ３０８からＲＡＭ３０２へのデータ入出力は、ＬＡＮ  Ｉ／Ｆ３０８が備える不図示のＤＭＡ（Ｄｉｒｅｃｔ  Ｍｅｍｏｒｙ  Ａｃｃｅｓｓ）制御部を用いたＤＭＡ転送で行うことができる。なお、省電力モードでは、ＣＰＵ３０１に対する電力供給は遮断されるものとしたが、これに限るものではない。例えば、他の形態として、ＣＰＵ３０１に対する電力供給を通常電力モードより低減させ、ＣＰＵ３０１の動作周波数を下げた状態を省電力モードとしてもよい。
【００５９】
なお、通常電力モードにおいても、スキャナ１０７またはプリンタ１０８の動作が不必要な状態では、ＣＰＵ３０１からの指示によりデバイスＩ／Ｆ３１２を通じ、スキャナ１０７またはプリンタ１０８の受電を抑制し、不必要な電力の消費を抑制する。
【００６０】
＜動作モードの変更制御＞
図５は、時間帯別の電力供給／電力料金の状態と、実施例１における画像形成装置１０４の電力制御の概略図を示している。５０１で示す縦軸は供給される電力と料金を示しており、５０２は時刻を示している。５０４は時間帯別に電力会社が消費者に供給可能な電力供給能力を示している。例えば１２時から１８時の時間帯においては、企業活動や冷暖房で一般的に消費される電力量が多いことから、電力会社はこの時間帯に供給できる電力の増加を行う（火力発電所の稼働率を上げるなど）。
【００６１】
一方５０２は時間帯別の電力料金を示しており、一般的に電力会社の電力供給能力が、消費される電力に対して余力がある場合には、単位電力当たりの料金は低く設定されており、反対に余力が無くなるような時間帯では、電力料金は高く設定されている。５０６は緊急ピーク料金を示しており、電力会社の電力供給能力に対して、消費される電力が過多となり、安定した電力供給に支障が出るような場合に、電力料金をさらに引き上げて、電力消費を抑えるために設定されている。５０７は計画的な停電時間帯を示している。この時間帯は、前述の緊急ピーク料金などの施策によっても電力消費が抑えられず、電力供給能力を消費が超過したような場合、供給電圧の低下、周波数の乱れ、さらには送電塔の設備の損傷を避けるために、変電設備のエリアごとに停電を行う可能性がある。
【００６２】
供給電圧の低下や周波数の乱れは、多くの電気機器の誤動作の誘発、損傷を招く可能性があり、また電力設備の損傷では停電が長期化する恐れがあるためである。このため、電力会社は前日の電力消費や過去の消費実績から、計画的な停電が行われる可能性のある時間帯とエリアを事前に消費者に告知して、万が一の停電に備えるように要望を出すことが考えられる。
【００６３】
実施例１における画像形成装置１０４の電力制御の概念図は、前述の電力供給と料金、及び計画的な停電時間帯に基づいて行われることになる。このため、５０２の時刻軸を合わせて概念図の説明を行う。５０３は画像形成装置１０４の最大消費電力を示している。５０８は画像形成装置１０４の通常動作モードを示しており、画像形成装置１０４のすべての機能が利用可能であるため、このモード中は、画像形成装置１０４の処理内容によっては電力消費のピークが高くなる。
【００６４】
詳細なフローは後述するが、５０７の計画的な停電時間帯に向けて、通常動作モードにある画像形成装置１０４の機能制限とその準備動作を行う。５０９では画像形成装置１０４の機能制限を加えてピーク電力を抑えるために、機能縮退を準備するモードを示して縮退準備が整うと、５１０で画像形成装置１０４の機能が制限されたモードとなり、例えばプリント出力を一時的に行えなくすることで、ピーク電力の低減を図る。また、停電時に備え、画像形成装置１０４の定着器４３０のクールダウンを開始する。その後、停電に備えた対停電モードに移行するために、５１１で対停電モードの移行処理を行う。さらに、系アック的な停電時間帯５０７の経過後は、画像形成装置１０４の動作モードを前述の通常動作モード５０８に復帰をさせている。
【００６５】
次にフローチャートを用いながら図５で示した動作モードの切り替えに関して説明を行う。図６は、画像形成装置１０４の動作モード切り替えの処理内容を示したフローチャートの一例である。  本フローチャートはＲＯＭ３０３に格納されたプログラムに従って、メインコントローラ１０６のＣＰＵ３０１が電源制御部３１８、デバイスＩ／Ｆ３１２を通じてプリンタ１０８、スキャナ１０７を制御することによって実現される。
【００６６】
Ｓ６０１において、画像形成装置１０４のＣＰＵ３０１の処理が開始される。Ｓ６０２で、画像形成装置１０４のＣＰＵ３０１は対停電モードへの移行を行うか否かの判定を行う。この判定は、後述のＵＩ設定９０２でユーザから指示を受けた操作部１０５が、メインコントローラ１０６に設定内容を送信し、設定内容によってメインコントローラ１０６のＣＵＰ３０１が行う。Ｓ６０２の判定の結果、対停電モードへの移行が行われない場合、画像形成装置１０４のＣＰＵ３０１は処理をＳ６０３に遷移させ、処理終了となる。
【００６７】
Ｓ６０２の判定の結果、対停電モードへの移行が行われる場合には、画像形成装置１０４のＣＰＵ３０１は処理をＳ６０４に遷移させる。Ｓ６０４において、対停電モード時にプリンタ１０８の縮退動作を行うか否かの判定を行う。この判定は、後述のＵＩ設定９０５でユーザから指示を受けた操作部１０５が、メインコントローラ１０６に設定内容を送信し、設定内容によってメインコントローラ１０６のＣＵＰ３０１が行う。Ｓ６０４において、プリンタ１０８の縮退動作を行う場合、画像形成装置１０４のＣＰＵ３０１は処理をＳ６０５に遷移させる。Ｓ６０５において画像形成装置１０４のＣＰＵ３０１はプリンタ部１０８を含めたクールダウンにかかる時間の算出を行う。
【００６８】
クールダウンの時間は、定着器４０３の機械的な構成や、画像形成装置１０４の周辺温度や湿度の環境等に左右されるため、画像形成装置１０４のＣＰＵ３０１はこれらの条件を加味したクールダウン時間を算出する。その後画像形成装置１０４のＣＰＵ３０１はＳ６０６に処理を遷移させ、後述のＵＩ設定９０３でユーザから指示を受けた操作部１０５が、メインコントローラ１０６に設定内容を送信する。メインコントローラ１０６のＣＰＵ３０１は送出されてきた設定時間からＳ６０５で算出した時間を減算した時間に到達したか否かの判定を行う。時間到達がされていないと画像形成装置１０４のＣＰＵ３０１が判断した場合は、処理を再度Ｓ６０５に遷移させ、到達している場合には、処理をＳ６０７に遷移させる。
【００６９】
Ｓ６０７において、画像形成装置１０４のＣＰＵ３０１は後述の図７で詳細な説明を行う縮退準備モードの処理を開始させ、縮退準備モードの処理完了後にＳ６０８に処理を遷移させる。Ｓ６０８において、後述のＵＩ設定９０３でユーザから指示を受けた操作部１０５が、メインコントローラ１０６に設定内容を送信し、画像形成装置１０４のＣＰＵ３０１は、開始時間に到達したか否かの判定を行う。画像形成装置１０４のＣＰＵ３０１は開始時間に到達していない場合には再度判定処理を行い、到達している場合には処理をＳ６０９に遷移させる。Ｓ６０９において画像形成装置１０４のＣＰＵ３０１は後述の図８で詳細な説明を行う対停電モード移行処理を開始させ対停電モード移行の処理完了後にＳ６１０に処理を遷移させる。
【００７０】
Ｓ６１０において、後述のＵＩ設定９０４でユーザから指示を受けた操作部１０５が、メインコントローラ１０６に設定内容を送信し、設定された終了時刻に到達したか否かの判定を、画像形成装置１０４のＣＰＵ３０１が行う。終了時刻に到達していない場合、画像形成装置１０４のＣＰＵ３０１は判定処理を繰り返し、到達している場合には処理をＳ６１１に遷移させる。Ｓ６１１において画像形成装置１０４のＣＰＵ３０１は通常の動作モードへの切り替え処理を行った後、Ｓ６０３に処理を遷移させ処理終了となる。
【００７１】
Ｓ６０４において、プリンタ１０８の縮退動作を行わない場合、画像形成装置１０４のＣＰＵ３０１は処理をＳ６１２に遷移させる。Ｓ６１２において画像形成装置１０４のＣＰＵ３０１はプリンタ部１０８を除いたクールダウンにかかる時間の算出を行い、さらに処理をＳ６１３に遷移させる。
【００７２】
Ｓ６１３において、後述のＵＩ設定９０３でユーザから指示を受けた操作部１０５が、メインコントローラ１０６に設定内容を送信し、設定時間からＳ６１２で算出した時間を減算した時間に到達したか否かの判定を行う。時間到達がされていないと画像形成装置１０４のＣＰＵ３０１が判断した場合は、処理を再度Ｓ６１２に遷移させ、到達している場合には、処理をＳ６１４に遷移させる。Ｓ６１４において、画像形成装置１０４のＣＰＵ３０１は後述の図７で詳細な説明を行う縮退準備モードの処理を開始させ、縮退準備モードの処理完了後にＳ６１５に処理を遷移させる。
【００７３】
Ｓ６１５において画像形成装置１０４のＣＰＵ３０１は後述の図８のＳ８０６〜Ｓ８１３までの機能制限にかかる時間を算出し、さらに処理をＳ６１６に遷移させる。Ｓ６１６において、後述のＵＩ設定９０３でユーザから指示を受けた操作部１０５が、メインコントローラ１０６に設定内容を送信する。画像形成装置１０４のＣＰＵ３０１は、設定内容からＳ６１５で算出した切り替え所要時間を減算した時間に到達したか否かの判定を行う。判定の結果、時間に到達していない場合には画像形成装置１０４のＣＰＵ３０１は再度判定を繰り返し、到達している場合には処理をＳ６０９に遷移させる。Ｓ６０９以降のフローは前述の説明と同一であるため、ここでは割愛する。
【００７４】
次に、図７のフローチャートの説明を行う。Ｓ７０１において画像形成装置１０４のＣＰＵ３０１は縮退準備モードの処理を開始し、Ｓ７０２に処理を遷移させる。Ｓ７０２において、対停電モード時にプリンタ１０８の縮退動作を行うか否かの判定を行う。この判定は、後述のＵＩ設定９０５でユーザから指示を受けた操作部１０５が、メインコントローラ１０６に設定内容を送信し、設定内容によってメインコントローラ１０６のＣＵＰ３０１が行う。Ｓ７０２において、プリンタ１０８の縮退動作を行う場合、画像形成装置１０４のＣＰＵ３０１は処理をＳ７０３に遷移させ、縮退動作を行わない場合には処理をＳ７０８に遷移させる。Ｓ７０３において画像形成装置１０４のＣＰＵ３０１はプリンタ１０８がクールダウン必要なプリンタ・エンジンか否かの条件判定を行い、必要な場合にはＳ７０４に状態を遷移させ、必要ない場合にはＳ７０７に状態を遷移させる。
【００７５】
一般的に定着器４３０がオンデマンド定着機構の場合には、クールダウンは不要であるが、熱ローラ定着などの大きな熱容量を有する定着機構の場合、クールダウンが必要となる場合が多い。Ｓ７０４において画像形成装置１０４のＣＰＵ３０１はユーザから指示を受けた操作部１０５から送られてくる設定内容が、クールダウン開始までに完了する動作モードと設定値になっているか否かの判定を行う。この判定は、例えばクールダウン開始までに印字出力が完了しないような場合、モード切り替えの時間が後ろに延びることになり、動作モード切り替えが所望の時刻に完了できなくなってしまうことを回避するためである。Ｓ７０４の判定の結果、クールダウン開始までに処理が完了しない動作モードと判定した場合には、画像形成装置１０４のＣＰＵ３０１は処理をＳ７０６に遷移させ、完了する動作モードと判定した場合にはＳ７０５に処理を遷移させる。
【００７６】
Ｓ７０５で画像形成装置１０４のＣＰＵ３０１は縮退準備モードの処理を終了させる。Ｓ７０３の判定の結果、Ｓ７０７に処理を遷移させた画像形成装置１０４のＣＰＵ３０１はユーザから指示を受けた操作部１０５から送られてくる設定内容が、対停電モードの移行開始までに完了する動作モードと設定値か否かの判定を行う。Ｓ７０７において画像形成装置１０４のＣＰＵ３０１は、完了するモードと設定値と判断した場合にはＳ７０５に処理を遷移させ、完了しないと判断した場合にはＳ７０６に処理を遷移させる。
【００７７】
Ｓ７０６において、画像形成装置１０４のＣＰＵ３０１は後述で示す図９（Ｂ）、図９（Ｃ）、図９（Ｄ）図９（Ｅ）に例示するような操作部１０５の表示を行う。画像形成装置１０４のＣＰＵ３０１は所定時間内で処理が完了するように、動作モードと設定値の上限に機能制限を加え、その後Ｓ７０５に状態を遷移させる。Ｓ７０８において、画像形成装置１０４のＣＰＵ３０１は、Ｓ７０７と同様にユーザから指示を受けた操作部１０５から送られてくる設定内容が、対停電モードの移行開始までに完了する動作モードと設定値か否かの判定を行う。Ｓ７０８において画像形成装置１０４のＣＰＵ３０１は、完了するモードと設定値と判断した場合にはＳ７０５に処理を遷移させ縮退準備モードの処理を終了させ、完了しないと判断した場合にはＳ７０９に処理を遷移させる。
【００７８】
Ｓ７０９において画像形成装置１０４のＣＰＵ３０１は、ユーザから指示を受けた操作部１０５から送られてくる設定内容が、停電対策モードに移行した場合に、使用不可能となる機能や設定が行われていないか否かの判定を行う。停電対策モードに移行した場合に、使用不可能となる機能は、後述の図８で示すＳ８０７〜Ｓ８１１に該当する設定が行われているか否かによって判定を画像形成装置１０４のＣＰＵ３０１が行う。Ｓ７０９において画像形成装置１０４のＣＰＵ３０１は、判定条件に該当する機能／設定がされていないと判断した場合には処理をＳ７０５に遷移させ縮退準備モードの処理を終了させる。一方、画像形成装置１０４のＣＰＵ３０１が判定条件に該当する機能／設定がされていると判断した場合には、Ｓ７１０に処理を遷移させる。Ｓ７１０において画像形成装置１０４のＣＰＵ３０１は前述のＳ７０６と同等の機能制限を実施し、その後、処理をＳ７０５に遷移させて縮退準備モードの処理を終了させる。
【００７９】
次に、図８のフローチャートの説明を行う。Ｓ８０１において画像形成装置１０４のＣＰＵ３０１は対停電モードへの移行処理を開始し、Ｓ８０２に処理を遷移させる。Ｓ８０２において、対停電モード時にプリンタ１０８の縮退動作を行うか否かの判定を行う。この判定は、後述のＵＩ設定９０５でユーザから指示を受けた操作部１０５が、メインコントローラ１０６に設定内容を送信し、設定内容によってメインコントローラ１０６のＣＵＰ３０１が行う。Ｓ８０２において、プリンタ１０８の縮退動作を行う場合、画像形成装置１０４のＣＰＵ３０１は処理をＳ８０３に遷移させ、縮退動作を行わない場合には処理をＳ８０６に遷移させる。Ｓ８０３において画像形成装置１０４のＣＰＵ３０１は電源制御部３１８とデバイスＩ／Ｆ３１２を介在したプリンタ１０８に対して電源の遮断指示を行い、プリンタ部への通電を停止させ、その後処理をＳ８０４に遷移させる。
【００８０】
Ｓ８０６において、画像形成装置１０４のＣＰＵ３０１は機能制限モードに切り替えを開始し、順次、画像形成装置１０４の各種機能に対して動作モードの制限や上限設定の変更、その他の切り替え処理の実施を開始する。Ｓ８０７では、画像形成装置１０４のＣＰＵ３０１は不図示ではあるが、画像形成装置１０４にオプションで設置された給紙／排紙アクセサリの電源を一部もしくは全部の遮断を行う。給紙アクセサリの代表例としては、前述の給紙ユニット４２２、４２４、４２６、４２８よりも大容量の用紙を設置できる、画像形成装置１０４の外部設置オプションが挙げられる。また、排紙系アクセサリの代表例としては、製本処理を行うフィニッシャ装置や、穴あけ処理を行うパンチャ装置、くるみ製本を行うバインダ装置などの画像形成装置１０４の外部設置オプションが挙げられる。
【００８１】
これら外部設置の装置を使用しない制限を加えることにより、電力消費の低減を図る。Ｓ８０８において画像形成装置１０４のＣＰＵ３０１は、機能のマスク処理等を実施する。具体的にはコピー枚数の部数を設定する置数の上限値設定を減少（図９（Ｂ））、カラー印字が可能な画像形成装置１０４においては、白黒印刷のみ可能とする制限（図９（Ｅ））、強制的なお試し印刷（図９（Ｄ））などが挙げられる。さらに、図面での説明は行っていないが、複数用紙印刷時の先行給紙の制限（用紙を１枚排紙する毎に給紙を行う）、印刷用紙のタイプ（厚紙を禁止）、用紙サイズの制限（Ａ３／Ｂ４を禁止）などを加えても良い。
【００８２】
次にＳ８０９において、画像形成装置１０４のＣＰＵ３０１は、ＲＡＭ３０２のデータのうち、通常シャットダウン処理によってＦｌａｓｈ３０４に書き戻されるデータを、都度書き込みとして、ライトバック書き込みからライトスルー書き込みに切り替えを行う。Ｓ８１０において画像形成装置１０４のＣＰＵ３０１は定着器４３０の定着温度を低減させ、ＰａｇｅＰｅｒＭｉｎｕｔｅ（ＰＰＭ）性能を下げることにより消費電力の低減を行う。  さらに、前述のトナー画像を薄くする（載り量を低減）ことによりトナー画像を用紙上に熱で定着する際の必要な熱量の低減も図る。
【００８３】
Ｓ８１１では画像形成装置１０４のＣＰＵ３０１は後述の図９（Ｃ）に例示するように、例えばコピー処理を行う場合にスキャナ１０７とプリンタ１０８の同時動作に制限を加え、順次動作に制限を行い、電力消費のピークを低減させる。Ｓ８１２において、は画像形成装置１０４のＣＰＵ３０１は前述のＳ８０８〜Ｓ８１２に例示した機能制限状態に付随するその他の処理を行う。例えばＳ８１０にてＰＰＭを下げたため、データ受信の性能も付随させＬＡＮ  Ｉ／Ｆ３０８の速度を１０Ｍｂｐｓに低減させるなどである。Ｓ８１３において画像形成装置１０４のＣＰＵ３０１はＳ８０８〜Ｓ８１２において実施した機能制限の内容を、操作部１０５に表示を行い（図９（Ｂ）〜図９（Ｅ））、処理をＳ８０４に遷移させる。
【００８４】
Ｓ８０４で画像形成装置１０４のＣＰＵ３０１はＬＡＮ  Ｉ／Ｆ３０８を通じ、電力管理サーバ１０２に対して、機能制限モードに移行が完了した旨の通知を行った後に、Ｓ８０５に処理を遷移させ対停電モードへの移行処理を終了させる。
【００８５】
図９で、操作部１０５での設定例と表示例を説明する。９０１は対停電モードの設定例を示しており、９０２において対停電モードへの移行を行うか否かの選択が可能となっている。９０３は対停電モードの開始時刻の設定であり、９０４は対停電モードの終了時刻の設定である。また９０５では対停電モード時に印刷を行うか否かの選択を行う。これらのＵＩ設定のユーザから指示を受けた操作部１０５が、メインコントローラ１０６に設定内容を送信し、左記に説明したフローに基づき設定内容によってメインコントローラ１０６のＣＵＰ３０１が処理を行う。
【００８６】
９０６はＳ８０８で説明した置数制限が行われている場合の操作部１０５の表示例である。９０７において出力部数を１００部で設定し処理を開始しようとした場合、指数制限が９９に設定されており、部数の変更が必要であることをユーザに通知している。９０９はＳ８１１で説明した同時通電の制限が実施されている場合の、操作部１０５の表示例を示している。９１０ではコピーの設定内容が表示され、機能的な制約は加えられてはいないが、スキャナ１０７とプリンタ１０８とが同時に動作しないことを９１１の表示によって、ユーザに通知を行っている。９１２はＳ８０８で説明した強制的なお試し印刷時の操作部１０５の表示例である。
【００８７】
お試し印刷とは複数部数の出力を行う際に、連続的に部数出力を行わず、１部目の出力後に一次停止状態となり、出力物をユーザが目視確認後に、ユーザから指示を受けた操作部１０５が再開もしくはキャンセルの指示をメインコントローラ１０６に行う機能である。９１３で複数部数の印字出力の設定が行われているが、９１４に示すように計画的な停電時間帯後に残りの部数の出力が行われる。９１５はＳ８０８で説明した白黒印刷のみ可能とする制限時の操作部１０５の表示例を示しており、ＢＯＸに保管された９１６に示すファイル名の文書の印刷設定の画面表示例である。９１８でカラー出力を設定するボタンがグレーアウトされ設定が制限され白黒印刷のみが設定できる状態となっている。また９１９で１ｉｎ１の出力も制限され、集約プリント、表示例では４ｉｎ１（４ページの画像を１ページに集約）のみが設定可能となっている。９１７は制限された機能についてのメッセージがメインコントローラ１０６からの指示で操作部１０５に表示されている状態を示している。
【００８８】
［第２の実施例］
以下、本発明を実施するための第２の実施例について図面を用いて説明する。第２の実施例では、画像形成装置１０４のウイークリータイマー機能とオートシャットダウン機能に関連して、機能縮退を実施する例を示している。
【００８９】
本実施例では、画像形成装置１０４のウイークリータイマー機能とオートシャットダウン機能を設定することによって、実施例１に示した同等の効果を得ることが可能となっている。第２の実施例における画像形成装置の構成は、第１の実施例における画像形成装置１０４と同様であるため、ウイークリータイマー機能とオートシャットダウン機能に関連する処理の差分についてのみ説明する。
【００９０】
最初に、ウイークリータイマー機能とオートシャットダウン機能の概略説明と、操作部１０５での設定例について図１０を用いて説明を行う。ウイークリータイマー機能とは、曜日ごとの決められた時間に、画像形成装置１０４のシャットダウンを自動的に行う機能を示す。オートシャットダウン機能とは、画像形成装置１０４で一定時間処理が行われなかった場合に、省電力の観点でスリープスタンバイ状態の画像形成装置１０４のシャットダウンを自動的に行う機能を示す。１００１はウイークリータイマー機能とオートシャットダウン機能を設定するための操作部１０５の表示例を示す。１００２はウイークリータイマー機能の使用の有無を設定するボタンを示しており、１００３はオートシャットダウン機能の使用の有無を設定するボタンを示している。
【００９１】
１００４は機能制限が開始される時間等の情報がメインコントローラ１０６からの指示で操作部１０５に表示されている状態を示している。１００２でウイークリータイマー機能の使用を行う指示を受けた操作部１０５はメインコントローラ１０６に通知を行い、１００５に示す曜日ごとの時間設定画面の表示を操作部１０５に指示する。この画面設置でユーザが曜日ごとの時刻指定を行い、設定完了の指示を受けた操作部１０５はメインコントローラ１０６に曜日ごとの設定情報の送信を行う。
【００９２】
一方、１００３でオートシャットダウン機能の使用を行う指示を受けた操作部１０５はメインコントローラ１０６に通知を行い、１００６に示すオートシャットダウンの移行時間設定画面表示を操作部１０５に指示する。この画面設置でユーザが移行時間の選択を行い、設定完了の指示を受けた操作部１０５はメインコントローラ１０６にオートシャットダウンの移行時間の設定情報の送信を行う。
【００９３】
＜動作モードの変更制御＞
第１の実施例と同様に本実施例においても、画像形成装置１０４は、画像形成装置の稼動状態に応じて電力状態の異なる通常電力モードと縮退準備モードの２つのモードを備える。
【００９４】
図１１は、本実施例における画像形成装置１０４の処理内容を示したフローチャートの一例である。本フローチャートはＲＯＭ３０３に格納されたプログラムに従って、メインコントローラ１０６のＣＰＵ３０１が電源制御部３１８、デバイスＩ／Ｆ３１２を通じてプリンタ１０８、スキャナ１０７を制御することによって実現される。
【００９５】
Ｓ１１０１において、画像形成装置１０４のＣＰＵ３０１は処理を開始しＳ１１０２で前述のウイークリータイマー機能の設定の有無の判断を行い、設定無しの場合には処理をＳ１１０３に遷移させ、設定有りの場合にはＳ１１０５に処理を遷移させる。Ｓ１１０３において画像形成装置１０４のＣＰＵ３０１は前述のオートシャットダウン機能の設定の有無の判断を行い、設定無しの場合には処理をＳ１１０４に遷移させ処理終了となり、設定有りの場合にはＳ１１０５に処理を遷移させる。Ｓ１１０５において画像形成装置１０４のＣＰＵ３０１はプリンタ部１０８を含めたクールダウンにかかる時間の算出を行う。
【００９６】
クールダウンの時間は、定着器４０３の機械的な構成や、画像形成装置１０４の周辺温度や湿度の環境等に左右されるため、画像形成装置１０４のＣＰＵ３０１はこれらの条件を加味したクールダウン時間を算出する。その後画像形成装置１０４のＣＰＵ３０１はＳ１１０６に処理を遷移させ、ウイークリータイマーでのシャットダウン時刻からＳ１１０６で算出した時間を減算した時間に到達したか否かの判定を行う。Ｓ１１０６で画像形成装置１０４のＣＰＵ３０１が時間到達していると判断した場合にはＳ１１１１に処理を遷移させ、時間到達していないと判断した場合には処理をＳ１１０７に遷移させる。
【００９７】
Ｓ１１０７において画像形成装置１０４のＣＰＵ３０１はオートシャットダウン移行時間からＳ１１０６で算出した時間を減算した時間に相当する時間の間、画像形成装置１０４での処理や操作部１０５の操作が行われたか否かの判断を行う。処理や操作が行われた場合には画像形成装置１０４のＣＰＵ３０１は処理をＳ１１０４に遷移させ、処理や操作が行われなかった場合には処理をＳ１１０８に遷移させる。Ｓ１１０８では実施例１の図７で説明した処理が画像形成装置１０４のＣＰＵ３０１で行われ（詳細は実施例１説明済みのため割愛する）、その後Ｓ１１０９に処理を遷移させる。
【００９８】
Ｓ１１０９において画像形成装置１０４のＣＰＵ３０１はオートシャットダウン移行時間の間、画像形成装置１０４での処理や操作部１０５の操作が行われたか否かの判断を行う。処理や操作が行われた場合には画像形成装置１０４のＣＰＵ３０１は処理をＳ１１０４に遷移させ、処理や操作が行われなかった場合には処理をＳ１１１０に遷移させる。Ｓ１１１０では画像形成装置１０４のＣＰＵ３０１はシャットダウンの処理を開始し、その後処理をＳ１１０４に遷移させる。Ｓ１１１１では実施例１の図７で説明した処理が画像形成装置１０４のＣＰＵ３０１で行われ（詳細は実施例１説明済みのため割愛する）、その後Ｓ１１１２に処理を遷移させる。Ｓ１１１２において画像形成装置１０４のＣＰＵ３０１はウイークリータイマー機能で設定されたシャットダウン時刻に到達したか否かの判定を行い、到達していない場合には判定処理を繰り返し、到達した場合には処理をＳ１１１０に遷移させる。
【００９９】
図１２は画像形成装置１０４の各種の動作モードと消費電力との関係を示した図である。１２０１は画像形成装置１０４の通電箇所と、１２０２は通電箇所ごとの使用電力を示している。通電箇所ごとの電力の制御はＣＰＵ３０１からの指示によって電源制御部３１８が行う。１２０３は画像形成装置１０４の各種の動作モードを例示している。また、１２０４は、複数の通電箇所を同時に通電し動作させるモードか、もしくは、通電箇所を順次切り替えながら動作を行うモードか否かを示している。１２０５は１２０３で指定された動作モードで画像形成装置１０４の処理が行われる際の最大消費電力を示している。
【０１００】
前述の図７で例示したフローチャートでは、機能制限に主眼を置いた説明と処理内容であったが、縮退動作時の主眼を、最大消費電力の観点（１２０５を閾値で管理する）であっても良い。
【符号の説明】
【０１０１】
１０２  電力管理サーバ
１０４  画像形成装置
１０７  スキャナ
１０８  プリンタ
３１８  電源制御部
【図１】
2015146062.tif 000003
【図２】
2015146062.tif 000004
【図３】
2015146062.tif 000005
【図４】
2015146062.tif 000006
【図５】
2015146062.tif 000007
【図６】
2015146062.tif 000008
【図７】
2015146062.tif 000009
【図８】
2015146062.tif 000010
【図９】
2015146062.tif 000011
【図１０】
2015146062.tif 000012
【図１１】
2015146062.tif 000013
【図１２】
2015146062.tif 000014